(57)【要約】【課題】映像信号受信装置において映像信号送信装置のクロックを正確に再生することが可能な、映像信号送信装置を得る。【解決手段】映像信号送信装置２は、トランスポートストリームＳ１に含まれる複数のトランスポートパケットのうち、送信不要なトランスポートパケットＮ１〜Ｎ４が削除された、トランスポートストリームＳ２に含まれる複数のトランスポートパケットを、通信ネットワーク４に送信する送信処理部１１と、送信処理部１１における各トランスポートパケットの送信タイミングを調整するタイミング調整部１２とを備え、タイミング調整部１２は、トランスポートストリームＳ２における、ＰＣＲ６０を含む複数のトランスポートパケット間の時間間隔を、トランスポートストリームＳ１における、ＰＣＲ６０を含む複数のトランスポートパケット間の時間間隔に一致させる。【選択図】図２
2010118897.tif 000002
【特許請求の範囲】
【請求項１】
映像信号のトランスポートストリームを通信ネットワークに送信する映像信号送信装置であって、
第１のトランスポートストリームに含まれる複数のトランスポートパケットのうち、送信不要なトランスポートパケットが削除された、第２のトランスポートストリームに含まれる複数のトランスポートパケットを、前記通信ネットワークに送信する送信処理部と、
前記送信処理部における各トランスポートパケットの送信タイミングを調整するタイミング調整部と
を備え、
前記タイミング調整部は、前記第２のトランスポートストリームにおける、クロック調整値を含む複数のトランスポートパケット間の時間間隔を、前記第１のトランスポートストリームにおける、クロック調整値を含む複数のトランスポートパケット間の時間間隔に一致させることを特徴とする、映像信号送信装置。
【請求項２】
前記タイミング調整部は、
前記第１又は第２のトランスポートストリームにおける、クロック調整値を含むトランスポートパケットから、そのクロック調整値を抽出する抽出手段と、
トランスポートパケットにクロック調整値を付与する際に使用されるクロックと同一周波数のクロックに基づいて、カウント動作を実行するカウンタと
を有し、
前記抽出手段によって抽出されたクロック調整値と、前記カウンタのカウンタ値とに基づいて、クロック調整値を含むトランスポートパケットの送信タイミングを制御する、請求項１に記載の映像信号送信装置。
【請求項３】
前記第１のトランスポートストリームは、ＭＰＥＧ（Moving Picture Experts Group）２−ＴＳ（Transport Stream）である、請求項１又は２に記載の映像信号送信装置。
【請求項４】
前記第１のトランスポートストリームは、ＭＰＥＧ（Moving Picture Experts Group）２−ＴＴＳ（Time-stamped Transport Stream）である、請求項１又は２に記載の映像信号送信装置。
【請求項５】
請求項１〜４のいずれか一つに記載の映像信号送信装置と、
前記映像信号送信装置から送信された映像信号を受信する映像信号受信装置と、
前記映像信号送信装置と前記映像信号受信装置とを接続する通信ネットワークと
を備える、映像信号通信システム。
【発明の詳細な説明】
【技術分野】
【０００１】
本発明は、映像信号送信装置及び、それを備えた映像信号通信システムに関する。
【背景技術】
【０００２】
ＭＰＥＧ（Moving Picture Experts Group）２−ＴＳ（Transport Stream）を用いた通信プロトコルにおいて、送信側のエンコーダは、所定間隔のトランスポートパケット毎に、ＰＣＲ（Program Clock Reference）を付加する。受信側のデコーダは、トランスポートパケット内に含まれるＰＣＲを検出し、検出したＰＣＲに基づいて、エンコーダのクロックを再生する。また、ＭＰＥＧ２−ＴＳにおいては、通信速度の調整のために、無意味なトランスポートパケット（ヌルパケット）が、トランスポートストリーム内に含まれている。エンコーダでは、ヌルパケットを含むトランスポートストリームに対して、ＰＣＲを付加する。
【０００３】
ＩＰ（Internet Protocol）ネットワークを経由した通信、例えばＩＰ放送又はＶＯＤ（Video On Demand）サービス等においては、通信データ量の削減のために、ヌルパケットを削除した後にトランスポートストリームを送信することが望ましい。この場合には、ＰＣＲを含むトランスポートパケットの位置が、ヌルパケットの削除の前後で異なる。そのため、デコーダが受信するトランスポートストリームにおいても、ＰＣＲを含むトランスポートパケットの位置が、本来の位置（ヌルパケットが削除される前のトランスポートストリーム内における位置）とは異なっている。従って、デコーダは、検出したＰＣＲのみによっては、エンコーダのクロックを正確に再生することができない。
【０００４】
下記特許文献１，２には、ＭＰＥＧ２−ＴＳの各トランスポートパケットに４バイト長のタイムスタンプをそれぞれ付加することにより、ＭＰＥＧ２−ＴＳをＭＰＥＧ２−ＴＴＳ（Time-stamped Transport Stream）に変換する技術が開示されている。エンコーダにおいてヌルパケットが削除された場合であっても、デコーダは、タイムスタンプに基づいて、ＰＣＲを含むトランスポートパケットの本来の位置を復元することができる。従って、デコーダは、本来の位置に復元されたトランスポートパケット内に含まれるＰＣＲに基づいて、エンコーダのクロックを再生することが可能となる。
【０００５】
【特許文献１】特開２００８−３５１９７号公報
【特許文献２】特開２００８−３５１９８号公報
【発明の開示】
【発明が解決しようとする課題】
【０００６】
上記特許文献１，２に開示された技術によると、ＭＰＥＧ２−ＴＳの各トランスポートパケットに、４バイト長のタイムスタンプがそれぞれ付加される。従って、「送信するトランスポートパケットの個数」×「４バイト」に相当するデータ量だけ、送信すべきデータ量が増大する。
【０００７】
本発明はかかる事情に鑑みて成されたものであり、送信データ量の増大を伴うことなく、しかも、タイムスタンプを付加するための回路を不要としつつ、映像信号受信装置において映像信号送信装置のクロックを正確に再生することが可能な、映像信号送信装置及びそれを備えた映像信号通信システムを得ることを目的とするものである。
【課題を解決するための手段】
【０００８】
本発明の第１の態様に係る映像信号送信装置は、映像信号のトランスポートストリームを通信ネットワークに送信する映像信号送信装置であって、第１のトランスポートストリームに含まれる複数のトランスポートパケットのうち、送信不要なトランスポートパケットが削除された、第２のトランスポートストリームに含まれる複数のトランスポートパケットを、前記通信ネットワークに送信する送信処理部と、前記送信処理部における各トランスポートパケットの送信タイミングを調整するタイミング調整部とを備え、前記タイミング調整部は、前記第２のトランスポートストリームにおける、クロック調整値を含む複数のトランスポートパケット間の時間間隔を、前記第１のトランスポートストリームにおける、クロック調整値を含む複数のトランスポートパケット間の時間間隔に一致させることを特徴とするものである。
【０００９】
第１の態様に係る映像信号送信装置によれば、タイミング調整部は、第２のトランスポートストリームにおける、クロック調整値を含む複数のトランスポートパケット間の時間間隔を、第１のトランスポートストリームにおける、クロック調整値を含む複数のトランスポートパケット間の時間間隔に一致させる。従って、映像信号受信装置は、複数のクロック調整値の時間間隔が適切に調整された第２のトランスポートストリームを、映像信号送信装置から受信することができる。そのため、映像信号受信装置は、第２のトランスポートストリームに含まれる複数のクロック調整値に基づいて、映像信号送信装置のクロックを正確に再生することが可能となる。その結果、第１の態様に係る映像信号送信装置によれば、タイムスタンプの付加に起因する送信データ量の増大を伴うことなく、しかも、タイムスタンプを付加するための回路を不要としつつ、映像信号受信装置において映像信号送信装置のクロックを正確に再生することが可能な、映像信号送信装置を得ることができる。
【００１０】
本発明の第２の態様に係る映像信号送信装置は、第１の態様に係る映像信号送信装置において特に、前記タイミング調整部は、前記第１又は第２のトランスポートストリームにおける、クロック調整値を含むトランスポートパケットから、そのクロック調整値を抽出する抽出手段と、トランスポートパケットにクロック調整値を付与する際に使用されるクロックと同一周波数のクロックに基づいて、カウント動作を実行するカウンタとを有し、前記抽出手段によって抽出されたクロック調整値と、前記カウンタのカウンタ値とに基づいて、クロック調整値を含むトランスポートパケットの送信タイミングを制御することを特徴とするものである。
【００１１】
第２の態様に係る映像信号送信装置によれば、カウンタを用いた簡易な構成によって、タイミング調整部におけるトランスポートパケットの送信タイミングの調整処理を実現することが可能となる。
【００１２】
本発明の第３の態様に係る映像信号送信装置は、第１又は第２の態様に係る映像信号送信装置において特に、前記第１のトランスポートストリームは、ＭＰＥＧ２−ＴＳであることを特徴とするものである。
【００１３】
第３の態様に係る映像信号送信装置によれば、ＭＰＥＧ２−ＴＳを扱う映像信号通信システムに関して、タイムスタンプの付加に起因する送信データ量の増大を伴うことなく、しかも、タイムスタンプを付加するための回路を不要としつつ、映像信号受信装置において映像信号送信装置のクロックを正確に再生させることが可能となる。
【００１４】
本発明の第４の態様に係る映像信号送信装置は、第１又は第２の態様に係る映像信号送信装置において特に、前記第１のトランスポートストリームは、ＭＰＥＧ２−ＴＴＳであることを特徴とするものである。
【００１５】
第４の態様に係る映像信号送信装置によれば、ＭＰＥＧ２−ＴＴＳを扱う映像信号通信システムに関して、映像信号受信装置において映像信号送信装置のクロックを正確に再生させることが可能となる。なお、本発明によればタイミング調整部によって複数のクロック調整値の時間間隔が適切に調整されるため、第１のトランスポートストリームの各トランスポートパケットから、タイムスタンプを削除することが可能である。これによって、タイムスタンプに起因して送信データ量が増大することや、タイムスタンプを付加するための回路を搭載することによって回路規模が増大することを、回避することができる。
【００１６】
本発明の第５の態様に係る映像信号通信システムは、第１〜第４のいずれか一つの態様に係る映像信号送信装置と、前記映像信号送信装置から送信された映像信号を受信する映像信号受信装置と、前記映像信号送信装置と前記映像信号受信装置とを接続する通信ネットワークとを備えることを特徴とするものである。
【００１７】
第５の態様に係る映像信号通信システムによれば、タイムスタンプの付加に起因する送信データ量の増大を伴うことなく、しかも、タイムスタンプを付加するための回路を不要としつつ、映像信号受信装置において映像信号送信装置のクロックを正確に再生することが可能な、映像信号通信システムを得ることができる。
【発明の効果】
【００１８】
本発明によれば、送信データ量の増大を伴うことなく、しかも、タイムスタンプを付加するための回路を不要としつつ、映像信号受信装置において映像信号送信装置のクロックを正確に再生することが可能な、映像信号送信装置及びそれを備えた映像信号通信システムを得ることができる。
【発明を実施するための最良の形態】
【００１９】
以下、本発明の実施の形態について、図面を用いて詳細に説明する。なお、異なる図面において同一の符号を付した要素は、同一又は相応する要素を示すものとする。
【００２０】
図１は、本発明の実施の形態に係る映像信号通信システム１の構成を模式的に示す図である。映像信号通信システム１は、映像信号送信装置２、映像信号受信装置３、及び通信ネットワーク４を備えて構成されている。映像信号送信装置２は、例えば放送局の送信サーバである。通信ネットワーク４は、例えばＩＰネットワークである。映像信号受信装置３は、例えば、ＩＰネットワークを経由した通信（ＩＰ放送や、ストリーミング型又はダウンロード型のＶＯＤサービス等）において、映像信号送信装置２から送信された映像信号を受信するための受信装置（セットトップボックス）である。
【００２１】
図２は、映像信号送信装置２の構成を示すブロック図である。図２の接続関係で示すように、映像信号送信装置２は、削除処理部１０、送信処理部１１、及びタイミング調整部１２を有している。送信処理部１１は、通信ネットワーク４に接続されている。
【００２２】
図３は、タイミング調整部１２の構成を示すブロック図である。図３の接続関係で示すように、タイミング調整部１２は、抽出部２０、レジスタ２１、演算部２２、及びダウンカウンタ２３を有している。ダウンカウンタ２３は、送信処理部１１に接続されている。
【００２３】
図２を参照して、削除処理部１０は、トランスポートストリームＳ１を入力し、そのトランスポートストリームＳ１に基づいてトランスポートストリームＳ２を生成して出力する。送信処理部１１は、トランスポートストリームＳ２を入力し、そのトランスポートストリームＳ２に基づいてトランスポートストリームＳ３を生成して、そのトランスポートストリームＳ３を通信ネットワーク４に送信する。タイミング調整部１２は、制御信号Ｓ４によって、送信処理部１１における各トランスポートパケットの送信タイミングを調整する。
【００２４】
図４の（Ａ）〜（Ｅ）は、映像信号送信装置２においてトランスポートストリームＳ３が生成されるまでの、トランスポートストリームの構造の変化を順に示す図である。
【００２５】
図４の（Ａ）を参照して、まず、映像信号送信装置２は、いずれも映像信号を含む複数のトランスポートパケットから成るトランスポートストリームＳＡを生成する。ここでは、説明の簡単化のため、この順に連続する８個のトランスポートパケットＰ１〜Ｐ８のみを示している。また、映像信号を含むトランスポートパケットＰ１〜Ｐ８には、砂地のハッチングを付している。
【００２６】
図４の（Ｂ）を参照して、次に、映像信号送信装置２は、通信速度を調整すべく、トランスポートストリームＳＡ内にヌルパケットを挿入することにより、トランスポートストリームＳＢを生成する。図４の（Ｂ）に示した例では、トランスポートパケットＰ１とトランスポートパケットＰ２との間に、３個のヌルパケットＮ１〜Ｎ３が挿入されており、また、トランスポートパケットＰ５とトランスポートパケットＰ６との間に、１個のヌルパケットＮ４が挿入されている。
【００２７】
図４の（Ｃ）を参照して、次に、映像信号送信装置２は、トランスポートストリームＳＢに含まれる複数のトランスポートパケットのうち、所定間隔のトランスポートパケット毎にＰＣＲ（クロック調整値）を付加することにより、トランスポートストリームＳ１を生成する。図４の（Ｃ）に示した例では、トランスポートパケットＰ１，Ｐ３，Ｐ７に、ＰＣＲが付加されている。ＰＣＲが付加されたトランスポートパケットＰ１，Ｐ３，Ｐ７には、斜線のハッチングを付している。ＰＣＲは、カウンタ値であり、２７ＭＨｚのクロックを用いたカウント動作によって生成される。トランスポートストリームＳ１は、削除処理部１０（図２参照）に入力される。トランスポートストリームＳ１において、トランスポートパケットＰ１とトランスポートパケットＰ３との間の時間間隔は、先頭同士の比較で「Ｔ１」である。また、トランスポートパケットＰ３とトランスポートパケットＰ７との間の時間間隔は、先頭同士の比較で「Ｔ２」である。
【００２８】
図５は、トランスポートパケットＰ１の構造を示す図である。トランスポートパケットＰ１は、ヘッダ部ＰＨとペイロード部ＰＰとを有しており、これらの合計のデータ長は１８８バイトである。ヘッダ部ＰＨにはＰＣＲ６０が含まれており、ペイロード部ＰＰには映像信号が含まれている。トランスポートパケットＰ３，Ｐ７も、トランスポートパケットＰ１と同様の構造を有する。
【００２９】
図６は、トランスポートパケットＰ２の構造を示す図である。上記と同様に、トランスポートパケットＰ２は、ヘッダ部ＰＨとペイロード部ＰＰとを有しており、これらの合計のデータ長は１８８バイトである。ペイロード部ＰＰには映像信号が含まれている。但し、トランスポートパケットＰ２においては、ヘッダ部ＰＨにＰＣＲ６０が含まれていない。トランスポートパケットＰ４，Ｐ５，Ｐ６，Ｐ８も、トランスポートパケットＰ２と同様の構造を有する。
【００３０】
図４の（Ｄ）を参照して、次に、削除処理部１０は、通信データ量を削減すべく、トランスポートストリームＳ１に含まれる複数のトランスポートパケットのうち、送信不要なヌルパケットＮ１〜Ｎ４を削除することにより、いずれも映像信号を含むトランスポートパケットＰ１〜Ｐ８から成るトランスポートストリームＳ２を生成する。トランスポートストリームＳ２においては、ヌルパケットＮ１〜Ｎ４の削除に起因して生じる空白領域が、前方に詰められる。その結果、トランスポートストリームＳ２において、トランスポートパケットＰ１とトランスポートパケットＰ３との間の時間間隔は、先頭同士の比較で「Ｔ３」（＜Ｔ１）となり、また、トランスポートパケットＰ３とトランスポートパケットＰ７との間の時間間隔は、先頭同士の比較で「Ｔ４」（＜Ｔ２）となる。トランスポートストリームＳ２は、送信処理部１１に入力される。なお、以上の説明では、映像信号送信装置２の内部（削除処理部１０）においてヌルパケットＮ１〜Ｎ４を削除する例について述べたが、ヌルパケットＮ１〜Ｎ４が既に削除されたトランスポートストリームＳ２が、外部から映像信号送信装置２に入力されても良い。この場合には、削除処理部１０は不要となる。
【００３１】
図４の（Ｅ）を参照して、次に、送信処理部１１は、各トランスポートパケットＰ１〜Ｐ８の送信タイミングを調整することにより、トランスポートストリームＳ２をトランスポートストリームＳ３として、通信ネットワーク４に送信する。トランスポートストリームＳ３における、トランスポートパケットＰ１とトランスポートパケットＰ３との間の時間間隔Ｔ１は、トランスポートストリームＳ１における、トランスポートパケットＰ１とトランスポートパケットＰ３との間の時間間隔Ｔ１に等しい。同様に、トランスポートストリームＳ３における、トランスポートパケットＰ３とトランスポートパケットＰ７との間の時間間隔Ｔ２は、トランスポートストリームＳ１における、トランスポートパケットＰ３とトランスポートパケットＰ７との間の時間間隔Ｔ２に等しい。送信タイミングの調整処理は、タイミング調整部１２によって行われる。
【００３２】
以下、図３を参照して、タイミング調整部１２による送信タイミングの調整処理について、具体的に説明する。
【００３３】
まず、抽出部２０は、トランスポートストリームＳ２のうちのトランスポートパケットＰ１に含まれているＰＣＲ６０の値（以下「ＰＣＲ値ＰＣＲ（１）」と称す）を抽出し、そのＰＣＲ値ＰＣＲ（１）を、信号Ｓ２０としてレジスタ２１に格納する。
【００３４】
次に、抽出部２０は、トランスポートストリームＳ２のうちのトランスポートパケットＰ３に含まれているＰＣＲ６０の値（以下「ＰＣＲ値ＰＣＲ（３）」と称す）を抽出し、そのＰＣＲ値ＰＣＲ（３）を、信号Ｓ２０としてレジスタ２１に格納するとともに、演算部２２に入力する。この時、演算部２２には、レジスタ２１に格納されているＰＣＲ値ＰＣＲ（１）も入力される。つまり、ＰＣＲ値ＰＣＲ（３）がレジスタ２１に格納されるタイミングで、演算部２２は、ＰＣＲ値ＰＣＲ（１）とＰＣＲ値ＰＣＲ（３）との双方を保持する。演算部２２は、ＰＣＲ値ＰＣＲ（３）からＰＣＲ値ＰＣＲ（１）を減算することにより、両者の差分値（以下「ＳＷ（３）」と称す）をダウンカウンタ２３に設定する。
【００３５】
ダウンカウンタ２３への差分値ＳＷ（３）の設定が完了すると同時に、ダウンカウンタ２３から送信処理部１１に制御信号Ｓ４が入力されることにより、トランスポートパケットＰ１の送信が開始される。ＰＣＲ６０を含まないトランスポートパケットＰ２に関する送信タイミングは任意であるが、図４の（Ｅ）に示した例では、トランスポートパケットＰ２はトランスポートパケットＰ１に連続して送信されている。なお、トランスポートパケットＰ１，Ｐ２は、ヌルパケットの削除に起因して低減可能となった適当な通信速度で、送信することが可能である。
【００３６】
ダウンカウンタ２３には、クロック発生回路３０から出力されたクロックＣＬＫが入力されている。クロックＣＬＫの周波数は、ＰＣＲ６０の生成のためのカウント動作において使用されたクロックの周波数（２７ＭＨｚ）と同一に設定されている。ダウンカウンタ２３は、クロックＣＬＫが入力される毎に、ダウンカウンタ２３のカウンタ値を「１」ずつデクリメントする。そして、差分値ＳＷ（３）に対応するダウンカウンタ２３の設定値がゼロになると同時に、送信処理部１１に制御信号Ｓ４を入力する。これにより、トランスポートパケットＰ３の送信が開始される。ＰＣＲ６０を含まないトランスポートパケットＰ４〜Ｐ６に関する送信タイミングは任意であるが、図４の（Ｅ）に示した例では、トランスポートパケットＰ４〜Ｐ６はトランスポートパケットＰ３に連続して送信されている。なお、トランスポートパケットＰ３〜Ｐ６は、ヌルパケットの削除に起因して低減可能となった適当な通信速度で、送信することが可能である。
【００３７】
また、抽出部２０は、トランスポートストリームＳ２のうちのトランスポートパケットＰ７に含まれているＰＣＲ６０の値（以下「ＰＣＲ値ＰＣＲ（７）」と称す）を抽出し、そのＰＣＲ値ＰＣＲ（７）を、信号Ｓ２０としてレジスタ２１に格納するとともに、演算部２２に入力する。この時、演算部２２には、レジスタ２１に格納されているＰＣＲ値ＰＣＲ（３）も入力される。つまり、ＰＣＲ値ＰＣＲ（７）がレジスタ２１に格納されるタイミングで、演算部２２は、ＰＣＲ値ＰＣＲ（３）とＰＣＲ値ＰＣＲ（７）との双方を保持する。演算部２２は、ＰＣＲ値ＰＣＲ（７）からＰＣＲ値ＰＣＲ（３）を減算する。そして、差分値ＳＷ（３）に対応するダウンカウンタ２３の設定値がデクリメントによってゼロになると同時に、差分値ＳＷ（７）をダウンカウンタ２３に設定する。
【００３８】
上記と同様に、ダウンカウンタ２３は、クロックＣＬＫが入力される毎に、ダウンカウンタ２３のカウンタ値を「１」ずつデクリメントする。そして、差分値ＳＷ（７）に対応するダウンカウンタ２３の設定値がゼロになると同時に、送信処理部１１に制御信号Ｓ４を入力する。これにより、トランスポートパケットＰ７の送信が開始される。ＰＣＲ６０を含まないトランスポートパケットＰ８に関する送信タイミングは任意であるが、図４の（Ｅ）に示した例では、トランスポートパケットＰ８はトランスポートパケットＰ７に連続して送信されている。なお、トランスポートパケットＰ７，Ｐ８は、ヌルパケットの削除に起因して低減可能となった適当な通信速度で、送信することが可能である。
【００３９】
送信処理部１１から送信されたトランスポートストリームＳ３は、通信ネットワーク４を経由して、映像信号受信装置３によって受信される。
【００４０】
図７は、映像信号受信装置３の構成を示すブロック図である。映像信号受信装置３は、クロック回路４０及びデコード回路４１を備えて構成されている。クロック回路４０は、トランスポートストリームＳ３のうちのトランスポートパケットＰ１，Ｐ３，Ｐ７に含まれるＰＣＲ６０に基づいてクロックリカバリ処理を実行することにより、映像信号送信装置２のクロックと同一のクロックＳ５を再生する。デコード回路４１には、クロック回路４０から、トランスポートストリームＳ３及びクロックＳ５が入力される。デコード回路４１は、クロックＳ５に基づいて動作し、トランスポートストリームＳ３に対してデコード処理を実行することにより、映像信号Ｓ６を出力する。映像信号Ｓ６は、映像信号受信装置３に接続されている表示装置４２に入力される。
【００４１】
このように本実施の形態に係る映像信号送信装置２（及び映像信号通信システム１）によれば、タイミング調整部１２は、トランスポートストリームＳ３における、ＰＣＲ６０を含むトランスポートパケットＰ１，Ｐ３，Ｐ７間の時間間隔（Ｔ１，Ｔ２）を、トランスポートストリームＳ１におけるトランスポートパケットＰ１，Ｐ３，Ｐ７間の時間間隔（Ｔ１，Ｔ２）に一致させる。従って、映像信号受信装置３は、ＰＣＲ６０の時間間隔が適切に調整されたトランスポートストリームＳ３を、映像信号送信装置２から受信することができる。そのため、映像信号受信装置３は、トランスポートストリームＳ３に含まれるＰＣＲ６０に基づいて、映像信号送信装置２のクロックを正確に再生することが可能となる。その結果、本実施の形態に係る映像信号送信装置２によれば、タイムスタンプの付加に起因する送信データ量の増大を伴うことなく、しかも、タイムスタンプを付加するための回路を不要としつつ、映像信号受信装置３において映像信号送信装置２のクロックを正確に再生することが可能な、映像信号送信装置２を得ることができる。
【００４２】
また、本実施の形態に係る映像信号送信装置２によれば、ダウンカウンタ２３を用いた簡易な構成によって、タイミング調整部１２におけるトランスポートパケットの送信タイミングの調整処理を実現することが可能となる。
【００４３】
また、本実施の形態に係る映像信号送信装置２によれば、ＭＰＥＧ２−ＴＳを扱う映像信号通信システム１に関して、タイムスタンプの付加に起因する送信データ量の増大を伴うことなく、しかも、タイムスタンプを付加するための回路を不要としつつ、映像信号受信装置３において映像信号送信装置２のクロックを正確に再生させることが可能となる。
【００４４】
＜第１の変形例＞
図８は、第１の変形例に係る映像信号送信装置２の構成を示すブロック図である。タイミング調整部１２は、トランスポートストリームＳ２ではなく、トランスポートストリームＳ１のうちのトランスポートパケットＰ１，Ｐ３，Ｐ７に含まれているＰＣＲ６０の値を抽出しても良い。第１の変形例によっても、上記実施の形態と同様の効果を得ることができる。
【００４５】
＜第２の変形例＞
上記実施の形態では、ＭＰＥＧ２−ＴＳを扱う映像信号通信システム１に関して本発明を適用する例について述べたが、本発明は、ＭＰＥＧ２−ＴＴＳを扱う映像信号通信システム１に適用することも可能である。
【００４６】
図９，１０は、図５，６に対応させて、ＭＰＥＧ２−ＴＴＳにおけるトランスポートパケットＰ１，Ｐ２の構造を示す図である。ＭＰＥＧ２−ＴＴＳでは、ＭＰＥＧ２−ＴＳの各トランスポートパケットに、４バイト長のタイムスタンプ６１が付加される。
【００４７】
図１１は、ＭＰＥＧ２−ＴＴＳを扱う映像信号受信装置３の構成を示すブロック図である。映像信号受信装置３は、クロック回路４０及びデコード回路４１を備えて構成されている。クロック回路４０は、タイミング調整回路５１及びクロック生成回路５２を備えて構成されている。タイミング調整回路５１は、各トランスポートパケットに付加されているタイムスタンプ６１に基づいて、各トランスポートパケットをクロック生成回路５２に入力するタイミングを調整する。クロック生成回路５２は、ＰＣＲ６０に基づいてクロックリカバリ処理を実行することにより、映像信号送信装置２のクロックと同一のクロックＳ５を再生する。デコード回路４１には、クロック生成回路５２から、トランスポートストリームＳ３及びクロックＳ５が入力される。デコード回路４１は、クロックＳ５に基づいて動作し、トランスポートストリームＳ３に対してデコード処理を実行することにより、映像信号Ｓ６を出力する。映像信号Ｓ６は、映像信号受信装置３に接続されている表示装置４２に入力される。
【００４８】
第２の変形例に係る映像信号送信装置２によれば、ＭＰＥＧ２−ＴＴＳを扱う映像信号通信システム１に関して、映像信号受信装置３において映像信号送信装置２のクロックを正確に再生させることが可能となる。なお、本発明によれば、タイミング調整部１２によって、複数のＰＣＲ６０の時間間隔が適切に調整されている。そのため、ＭＰＥＧ２−ＴＴＳのトランスポートストリームＳ１における各トランスポートパケットから、タイムスタンプを削除することが可能である。これによって、タイムスタンプに起因して送信データ量が増大することや、タイムスタンプを付加するための回路を搭載することによって回路規模が増大することを、回避することができる。
【００４９】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【図面の簡単な説明】
【００５０】
【図１】本発明の実施の形態に係る映像信号通信システムの構成を模式的に示す図である。
【図２】映像信号送信装置の構成を示すブロック図である。
【図３】タイミング調整部の構成を示すブロック図である。
【図４】映像信号送信装置においてトランスポートストリームが生成されるまでの、トランスポートストリームの構造の変化を順に示す図である。
【図５】トランスポートパケットの構造を示す図である。
【図６】トランスポートパケットの構造を示す図である。
【図７】映像信号受信装置の構成を示すブロック図である。
【図８】第１の変形例に係る映像信号送信装置の構成を示すブロック図である。
【図９】ＭＰＥＧ２−ＴＴＳにおけるトランスポートパケットの構造を示す図である。
【図１０】ＭＰＥＧ２−ＴＴＳにおけるトランスポートパケットの構造を示す図である。
【図１１】ＭＰＥＧ２−ＴＴＳを扱う映像信号受信装置の構成を示すブロック図である。
【符号の説明】
【００５１】
１  映像信号通信システム
２  映像信号送信装置
３  映像信号受信装置
４  通信ネットワーク
１０  削除処理部
１１  送信処理部
１２  タイミング調整部
２３  ダウンカウンタ
６０  ＰＣＲ
【図１】
2010118897.tif 000003
【図２】
2010118897.tif 000004
【図３】
2010118897.tif 000005
【図４】
2010118897.tif 000006
【図５】
2010118897.tif 000007
【図６】
2010118897.tif 000008
【図７】
2010118897.tif 000009
【図８】
2010118897.tif 000010
【図９】
2010118897.tif 000011
【図１０】
2010118897.tif 000012
【図１１】
2010118897.tif 000013